(57)【要約】【課題】蓋部材を載置部から取り外す時に薄板が載置部から飛び出るのを防止した香炉器具を提供する。【解決手段】ヒータガイド２０には、投入口２１からヒータガイド２０の内部に投入された雲母板５０が載置される載置台２２が形成されている。また、ヒータガイド２０の第二の内面２０Ｂには、雲母板５０が載置台２２に載置されたときに、雲母板５０の両端部の上方に位置する突起２３、２４が形成されている。ここで、ユーザがキャップ３０を本体ケース１０及びヒータガイド２０から取り外す時、この取り外し時に発生する負圧により、雲母板５０がヒータガイド２０から浮かび上がろうとする。しかし、香炉器具１では、突起２３、２４が雲母板５０の上昇を阻止するため、雲母板５０がヒータガイド２０から飛び出るのを防ぐことができる。【選択図】図６
2011115377.tif 000002
【特許請求の範囲】
【請求項１】
香剤をセットする薄板が投入される投入口が形成され、前記投入口から投入された前記薄板を載置する載置部と、
前記載置部と前記薄板上の前記香剤を加熱する発熱体とが取り付けられるケーシングと、
前記ケーシングの上部に対して着脱自在であり、装着時に前記薄板を覆う蓋部材と、を備えた香炉器具において、
前記載置部には、前記投入口から前記載置部の内部に投入された前記薄板が載置される載置台が形成され、
前記載置部は、前記薄板が前記載置台に載置されたときに前記薄板の外周と対向する第一の内面と前記第一の内面より前記投入口側にある第二の内面とを有し、
前記載置部は、
前記第一の内面および前記第二の内面の内周が前記薄板の外周より大きい形状に形成され、
前記薄板が前記載置台に載置されたときに前記薄板の端部の上方に位置する突起が、前記第二の内面に形成されたことを特徴とする香炉器具。
【請求項２】
前記載置部の前記第二の内面には、前記薄板が前記載置台に載置されたときに、前記薄板の両端部の上方に位置する突起が形成され、
前記載置部は、いずれか一方の前記突起の先端から他方の前記突起が形成された前記第二の内面までの長さが、前記薄板の両端の幅の長さより小さい形状に形成されたことを特徴とする請求項１に記載の香炉器具。
【請求項３】
前記載置部の前記第二の内面には、前記薄板が前記載置台に載置されたときに、前記薄板の両端部の上方に位置する突起が形成され、
前記載置部は、前記薄板が前記載置台に載置されたときに、いずれか一方の端部の上方に位置する前記突起の先端から他方の端部と対向する前記第一の内面までの長さが、前記薄板の両端の幅の長さより大きい形状に形成されたことを特徴とする請求項１に記載の香炉器具。
【請求項４】
前記載置部は、前記薄板が前記載置台に載置されたときに前記薄板の両端部の下方に位置する溝が、前記載置台の周囲に形成されたことを特徴とする請求項２又は３に記載の香炉器具。
【請求項５】
前記突起は、前記載置部とともに一体形成されることを特徴とする請求項１から４までの何れかに記載の香炉器具。
【発明の詳細な説明】
【技術分野】
【０００１】
この発明は、香木や香料等の香剤を薄板に載置して、発熱体の発熱によって香剤を加熱する香炉器具に関する。
【背景技術】
【０００２】
従来より、ヒータ等の発熱体の発熱によって香剤がセットされた薄板を加熱し、該香剤から香気を発生させる香炉器具が知られている。香剤は例えば香木や香料等であり、薄板の材質は、例えば雲母である。
【０００３】
ここで、従来の香炉器具では、薄板を載置部に載置する構成となっており、薄板が載置部から取り外し可能となっている。これにより、ユーザは、薄板に付着した油分等の汚れを清掃したり薄板を新品に交換したりする。また、従来の香炉器具は、載置部に対して着脱自在であり装着時に薄板を覆う蓋部材を備えている。ユーザは、当該蓋部材を載置部に装着した状態で香炉器具を持ち運び、所望の場所に香炉器具を設置する。その後、ユーザは、蓋部材を載置部から取り外して香炉器具を使用する。
【０００４】
なお、特許文献１において、電源コードを介してＡＣ商用電源に接続され、該ＡＣ商用電源を電源とした電気ヒータの発熱によって香剤を加熱する固定設置型の香炉器具が提案されている。
【先行技術文献】
【特許文献】
【０００５】
【特許文献１】特開平９−４２１公報
【発明の概要】
【発明が解決しようとする課題】
【０００６】
しかしながら、上記従来の香炉器具において、蓋部材の装着時には蓋部材が薄板を覆っている。また、当該薄板は小型軽量である。そのため、従来の香炉器具では、ユーザが蓋部材を載置部から取り外す時、この取り外し時に発生する負圧により、薄板が載置部から飛び出ることがあった。
従って、従来の香炉器具では、ユーザが蓋部材を載置部から取り外す時、薄板が破損したり、薄板を紛失したりするおそれがあった。
【０００７】
この発明の目的は、蓋部材を載置部から取り外す時に薄板が載置部から飛び出るのを防止した香炉器具を提供することにある。
【課題を解決するための手段】
【０００８】
本発明の香炉器具は、前記課題を解決するために以下の構成を備えている。
【０００９】
（１）香剤をセットする薄板が投入される投入口が形成され、前記投入口から投入された前記薄板を載置する載置部と、
前記載置部と前記薄板上の前記香剤を加熱する発熱体とが取り付けられるケーシングと、
前記ケーシングの上部に対して着脱自在であり、装着時に前記薄板を覆う蓋部材と、を備えた香炉器具において、
前記載置部には、前記投入口から前記載置部の内部に投入された前記薄板が載置される載置台が形成され、
前記載置部は、前記薄板が前記載置台に載置されたときに前記薄板の外周と対向する第一の内面と前記第一の内面より前記投入口側にある第二の内面とを有し、
前記載置部は、
前記第一の内面および前記第二の内面の内周が前記薄板の外周より大きい形状に形成され、
前記薄板が前記載置台に載置されたときに前記薄板の端部の上方に位置する突起が、前記第二の内面に形成されたことを特徴とする。
【００１０】
この構成において、ユーザは、蓋部材を載置部に装着した状態で香炉器具を持ち運び、所望の場所に香炉器具を設置する。そして、ユーザが蓋部材を載置部から取り外す時、この取り外し時に発生する負圧により、薄板が載置部から上方へ浮かび上がろうとする。薄板の材質は、例えば雲母である。
しかし、この構成では、突起が薄板の上昇を阻止するため、薄板が載置部から飛び出るのを防ぐことができる。従って、薄板が破損したり、薄板を紛失したりすることを防ぐことができる。
【００１１】
（２）前記載置部の前記第二の内面には、前記薄板が前記載置台に載置されたときに、前記薄板の両端部の上方に位置する突起が形成され、
前記載置部は、いずれか一方の前記突起の先端から他方の前記突起が形成された前記第二の内面までの長さが、前記薄板の両端の幅の長さより小さい形状に形成されたことを特徴とする。
【００１２】
この構成における載置部は、薄板の両端部の上方に２つの突起が位置する形状となっている。
この構成では、ユーザが蓋部材を載置部から取り外す時、薄板の一方の端が第二の内面に当接している場合でも、突起が薄板の上昇を阻止できる。従って、薄板が載置部から飛び出るのを確実に防ぐことができる。
【００１３】
（３）前記載置部の前記第二の内面には、前記薄板が前記載置台に載置されたときに、前記薄板の両端部の上方に位置する突起が形成され、
前記載置部は、前記薄板が前記載置台に載置されたときに、いずれか一方の端部の上方に位置する前記突起の先端から他方の端部と対向する前記第一の内面までの長さが、前記薄板の両端の幅の長さより大きい形状に形成されたことを特徴とする。
【００１４】
この構成における載置部は、薄板の両端部の上方に２つの突起が位置する形状となっている。
この構成では、ユーザが香炉器具を傾けて薄板の下側の端部を軽く押さえるだけで、薄板の上側の端部が突起から外れる。そのため、薄板に付着した油分等の汚れを清掃したり薄板を新品に交換したりする際、ユーザは、薄板を載置台から容易に取り外すことができる。
【００１５】
（４）前記載置部は、前記薄板が前記載置台に載置されたときに前記薄板の両端部の下方に位置する溝が、前記載置台の周囲に形成されたことを特徴とする。
【００１６】
この構成では、ユーザが香炉器具を傾けて薄板の下側の端部を軽く押さえるだけで、薄板の下側の端部が溝に入り、薄板の上側の端部が突起から外れる。そのため、薄板に付着した油分等の汚れを清掃したり薄板を新品に交換したりする際、ユーザは、薄板を載置台から一層容易に取り外すことができる。
【００１７】
（５）前記突起は、前記載置部とともに一体形成されることを特徴とする。
【００１８】
この構成では、突起が載置部とともに一体形成されるため、当該突起を形成するために専用の部品が必要となったり製造工程数が増えたりすることも無い。従って、突起を有する載置部を安価なコストで形成できる。
【発明の効果】
【００１９】
この発明によれば、蓋部材を取り外す際に薄板が載置部から飛び出るのを防止することができる。
【図面の簡単な説明】
【００２０】
【図１】本発明の実施形態に係る香炉器具のキャップ非装着時の外観斜視図である。
【図２】本発明の実施形態に係る香炉器具のキャップ装着時の要部断面図である。
【図３】本発明の実施形態に係る香炉器具のヒータガイドの外観斜視図である。
【図４】本発明の実施形態に係る香炉器具のキャップの外観斜視図である。
【図５】本発明の実施形態に係る香炉器具のヒータガイドの正面図である。
【図６】図５に示すＳ−Ｓ線における上記ヒータガイドの断面図である。
【図７】図５に示すＳ−Ｓ線における上記ヒータガイドの断面図である。
【図８】本発明の実施形態に係る香炉器具の雲母板取外し時の外観斜視図である。
【図９】図５に示すＳ−Ｓ線における上記ヒータガイドの雲母板取外し時の断面図である。
【発明を実施するための形態】
【００２１】
以下、本発明の実施形態に係る香炉器具について説明する。
【００２２】
図１は、本発明の実施形態に係る香炉器具のキャップ非装着時の外観斜視図である。図２は、同香炉器具のキャップ装着時の図１に示すＴ−Ｔ線における要部断面図であり、主要部以外の断面の図示を省略している。当該Ｔ−Ｔ線は、キャップ装着時の香炉器具のキャップ上面の中心線を通過する線である。また、図３は、同香炉器具のヒータガイドの外観斜視図であり、図４は、同香炉器具のキャップの外観斜視図である。香炉器具１は、本体ケース１０と、電熱ヒータ１１と、ヒータガイド２０と、キャップ３０とを備えている。
【００２３】
香炉器具１は、電熱ヒータ１１の発熱によって香剤がセットされた雲母板５０を加熱し、該香剤から香気を発生させる。雲母板５０は小型軽量で透明な雲母製の薄い円板であり、香剤は例えば香木や香料等である。ここで、香炉器具１は、香剤を焚いて嗜む環境において、侘び、寂、静寂、宗教的な情感等を生み出す雰囲気に馴染む。また、香炉器具１は、乾電池を電源とした携帯型の香炉器具であるため、立ち居振る舞いの際、固定設置型の香炉器具のように電源コードが邪魔になることも無く、商用電源が近くにない場所等においても使用できる。
【００２４】
なお、ヒータガイド２０が、本発明の「載置部」に相当する。また、キャップ３０が、本発明の「蓋部材」に相当する。また、電熱ヒータ１１が、本発明の「発熱体」に相当する。また、本体ケース１０が、本発明の「ケーシング」に相当する。また、雲母板５０が、本発明の「薄板」に相当する。
【００２５】
図１及び図２に示すように、本体ケース１０は、四角筒状の胴部と円筒状の頭部とで形成されており、その断面形状は凸形状となっている。本体ケース１０の底部には複数本の乾電池をセットする電池収納部（不図示）が設けられている。
なお、この実施形態では、本体ケース１０が四角筒状の胴部と円筒状の頭部とで形成されているが、実施の際は、その他の形状（例えば円筒状の胴部と円筒状の頭部の組み合わせ）でも構わない。
【００２６】
図１及び図３に示すように、ヒータガイド２０は、本体ケース１０の上面に嵌合されている。ヒータガイド２０には、香剤をセットする雲母板５０が矢印５１の方向から投入されるすり鉢状の投入口２１が形成されている。ヒータガイド２０は、投入口２１から投入された雲母板５０を載置するための載置台２２を有しており、雲母板５０は、この載置台２２から取り外し可能となっている。これにより、ユーザは、雲母板５０に付着した油分等の汚れを清掃したり雲母板５０を新品に交換したりする。
【００２７】
電熱ヒータ１１は、ヒータガイド２０の上面を正面視してヒータガイド２０の中央となる本体ケース１０の上部に取り付けられる。電熱ヒータ１１は、電池を電源として発熱し、載置台２２に載置された雲母板５０を熱する。これにより、雲母板５０上にセットされた香剤に熱が伝わり、香剤から香気が発生する。
【００２８】
図１及び図４に示すように、キャップ３０は、円柱形の開口部を有する四角柱形状で形成されている。また、キャップ３０は、本体ケース１０の頭部に対して着脱自在であり装着時に雲母板５０を覆う（図２参照）。また、キャップ３０の内面には２つの突起３０Ａが形成されている。
なお、この実施形態では、キャップ３０が、円柱形の開口部を有する四角柱形状で形成されているが、実施の際は、その他の形状（例えば断面が円形のコップ形状）でも構わない。また、突起３０Ａに関しても３つ以上形成して構わない。
【００２９】
ここで、本体ケース１０の頭部にも、キャップ３０を本体ケース１０の頭部に装着させたときに２つの突起３０Ａと係合する輪形状の突起１０Ａが形成されている。２つの突起３０Ａが輪形状の突起１０Ａに引っかかることにより、キャップ３０が本体ケース１０の上部から容易に外れないようにしている。ユーザは、このキャップ３０を本体ケース１０の頭部に装着した状態で香炉器具１を持ち運び、所望の場所に香炉器具１を設置する。その後、ユーザは、キャップ３０を本体ケース１０から取り外して香炉器具１を使用する。
【００３０】
しかし、図２に示すように、このキャップ３０の装着時においてはキャップ３０が雲母板５０を覆っている。そして、雲母板５０は小型軽量の薄板である。そのため、従来の香炉器具では、ユーザがキャップ３０を本体ケース１０から取り外す時、この取り外し時に発生する負圧により、雲母板５０がヒータガイド２０から飛び出ることがあった。
【００３１】
そこで、この実施形態における香炉器具１では、雲母板５０がヒータガイド２０から飛び出るのを防ぐため、以下に示すヒータガイド２０が備えられている。
【００３２】
図５は、本発明の実施形態に係る香炉器具のヒータガイドの正面図であり、図６は、図５に示すＳ−Ｓ線における同ヒータガイドの断面図である。ヒータガイド２０には、投入口２１からヒータガイド２０の内部に投入された雲母板５０が載置される載置台２２が形成されている。また、ヒータガイド２０の第二の内面２０Ｂには、雲母板５０が載置台２２に載置されたときに、雲母板５０の両端部の上方に位置する突起２３、２４が形成されている。この突起２３、２４及びヒータガイド２０の材質は樹脂であり、突起２３、２４及びヒータガイド２０はモールド金型を用いて射出成形することにより一体形成される。
なお、この実施形態では、突起２３、２４の材質が樹脂で射出成形により一体形成しているが、実施の際は、他の材質と他の形成方法を採用しても構わない。例えば、突起２３、２４の材質はゴムであっても良い。
【００３３】
また、ヒータガイド２０は、雲母板５０が載置台２２に載置されたときに雲母板５０の外周と対向するヒータガイド２０の内面である第一の内面２０Ａの内周が、雲母板５０の外周より大きい形状に形成されている。また、第二の内面２０Ｂの内周も、雲母板５０の外周より大きい形状に形成されている。
【００３４】
以上の構成では、ユーザがキャップ３０を本体ケース１０及びヒータガイド２０から取り外す時、この取り外し時に発生する負圧により、雲母板５０がヒータガイド２０から浮かび上がろうとする。しかし、香炉器具１では、突起２３、２４が雲母板５０の上昇を阻止するため、雲母板５０がヒータガイド２０から飛び出るのを防ぐことができる。従って、この香炉器具１によれば、雲母板５０が破損したり、雲母板５０を紛失したりすることを防ぐことができる。さらに、ヒータガイド２０の内部に小さな突起２３、２４を形成しているだけであるため、香炉器具１の意匠性を低下させることも無い。
【００３５】
また、突起２３、２４はヒータガイド２０とともに射出成形することにより容易に一体形成できるため、突起２３、２４を形成するために専用の部品が必要となったり製造工程数が増えたりすることも無い。従って、突起２３、２４を有するヒータガイド２０を安価なコストで形成できる。
【００３６】
次に、ヒータガイド２０におけるそれぞれの寸法関係を図７を用いて説明する。図７は、図５に示すＳ−Ｓ線におけるヒータガイドの断面図である。図８は、本発明の実施形態に係る香炉器具の雲母板取外し時の外観斜視図であり、図９は、図５に示すＳ−Ｓ線における該ヒータガイドの雲母板取外し時の断面図である。
【００３７】
図７に示すように、ヒータガイド２０におけるそれぞれの寸法関係は、「突起２３の先端から突起２４の先端までの長さＡ」＜「突起２４の先端から第二の内面２０Ｂまでの長さＢ」＜「雲母板５０の両端の幅の長さＣ」＜「突起２４の先端から第一の内面２０Ａまでの長さＤ」となっている。即ち、ヒータガイド２０は、雲母板５０の両端の幅の長さＣが、突起２４の先端から第二の内面２０Ｂまでの長さＢより大きい形状に形成されている。そのため、ユーザがキャップ３０を本体ケース１０及びヒータガイド２０から取り外す時、雲母板５０の中心がヒータガイド２０の中心軸２５から大きくズレて雲母板５０の一方の端が第二の内面２０Ｂに当接している場合でも（図７参照）、突起２３、２４が雲母板５０の上昇を確実に阻止できる。
【００３８】
また、図７に示すように、ヒータガイド２０は、雲母板５０が載置台２２に載置されたときに、雲母板５０のいずれか一方の端部の上方に位置する突起２４の先端から他方の端部と対向する第一の内面２０Ａまでの長さＤが、雲母板５０の両端の幅の長さＣより大きい形状に形成されている。さらに、ヒータガイド２０には、雲母板５０が載置台２２に載置されたときに雲母板５０の両端部の下方に位置する溝２６が、載置台２２の周囲に形成されている。そのため、雲母板５０に付着した油分等の汚れを清掃したり雲母板５０を新品に交換したりする際、ユーザは、次のようにして雲母板５０を載置台２２から容易に取り外すことができる。即ち、図８、図９に示すように、ユーザ１００が本体ケース１０を傾けて雲母板５０の一方の端部を矢印５３の方向へ軽く押さえるだけで、雲母板５０の下側の端部が溝２６に入り、雲母板５０が矢印５４の方向へ容易に倒れる。
【００３９】
以上より、この実施形態における香炉器具１によれば、雲母板５０がヒータガイド２０から飛び出るのを確実に防ぎ、且つ雲母板５０を載置台２２から容易に取り外すことができる。
【００４０】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４１】
１…香炉器具
１０…本体ケース
１１…電熱ヒータ
２０…ヒータガイド
２１…投入口
２２…載置台
２３、２４…突起
２５…中心軸
２６…溝
３０…キャップ
５０…雲母板
【図１】
2011115377.tif 000003
【図２】
2011115377.tif 000004
【図３】
2011115377.tif 000005
【図４】
2011115377.tif 000006
【図５】
2011115377.tif 000007
【図６】
2011115377.tif 000008
【図７】
2011115377.tif 000009
【図８】
2011115377.tif 000010
【図９】
2011115377.tif 000011